(57)【要約】【課題】  本発明は、ユーザの好む画質に容易に調整させるようにする。【解決手段】  テレビジョン装置１の表示部１７に表示する映像の画質をユーザに調整させる際に、画面構成選択メニュー３２の「２画面・詳細」項目３２Ｄが選択されると、ＥＰＧ情報ＩＥに基づいて現在表示中のテレビジョン番組のカテゴリに対応した推奨値ＰＲを読み出し、画質調整画面４０として、変更後映像４１Ａ及び変更前映像４２Ａを２画面モードで表示部１７に表示すると共に、画質調整ウィンドウ４１Ｃ、変更前設定値ウィンドウ４２Ｄ及び推奨値ウィンドウ４２Ｅを各映像に重畳して表示させることにより、当該ユーザに、画質を変更する前後の映像を比較させると共に、各映像の各調整項目の設定値と推奨値ＰＲとを同時に参照させながら画質を調整させることができる。【選択図】        図６
2006013618.tif 000002
【特許請求の範囲】
【請求項１】
所定の表示手段により表示中の映像に対応付けられた画質の設定値である推奨設定値を取得する推奨設定値取得手段と、
ユーザに変更された後の画質の設定値である変更後設定値に基づいた変更後映像を生成する変更後映像生成手段と、
上記ユーザに変更される前の上記画質の設定値である変更前設定値に基づいた変更前映像を生成する変更前映像生成手段と、
上記変更後映像、上記変更前映像、上記変更後設定値、上記変更前設定値、及び上記推奨設定値を共に上記表示手段に表示させ、上記ユーザに上記変更後設定値を変更させることにより上記表示中の映像の画質を調整させる制御手段と
を具えることを特徴とする画質調整装置。
【請求項２】
上記推奨設定値に基づいた画質の推奨映像を生成する推奨映像生成手段
を具え、
上記制御手段は、
上記変更後映像、上記変更前映像、上記変更後設定値、上記変更前設定値、及び上記推奨設定値と共に、上記推奨映像を上記表示手段に表示させ、上記ユーザに上記変更後設定値を変更させることにより上記表示中の映像の画質を調整させる
ことを特徴とする請求項１に記載の画質調整装置。
【請求項３】
上記制御手段は、
上記変更後映像、上記変更前映像、上記変更後設定値、及び上記変更前設定値と共に、１以上の種類の上記推奨映像及びそれぞれの推奨画質設定値を上記表示手段に表示させ、上記ユーザに上記推奨映像又は上記変更前映像を選択させることにより、選択された上記推奨映像又は上記変更前映像の上記推奨設定値又は上記変更前設定値に基づき上記映像の画質を調整させる
ことを特徴とする請求項２に記載の画質調整装置。
【請求項４】
上記制御手段は、
上記変更後映像、上記変更前映像、上記変更後設定値、上記変更前設定値、及び上記推奨設定値を共に上記表示手段に表示させ、上記ユーザに上記変更後設定値を変更させることにより上記表示中の映像の画質を調整させる
ことを特徴とする請求項１に記載の画質調整装置。
【請求項５】
上記映像は、所定の受信手段により受信中のテレビジョン番組であって、
上記推奨設定値取得手段は、
上記テレビジョン番組の電子番組情報に基づいて当該テレビジョン番組のカテゴリ情報を取得し、当該カテゴリ情報に基づき、当該カテゴリ情報と予め対応付けられた推奨設定値を取得する
ことを特徴とする請求項１に記載の画質調整装置。
【請求項６】
所定の表示手段により表示中の映像に対応付けられた画質の設定値である推奨設定値を取得する推奨設定値取得ステップと、
ユーザに変更された後の画質の設定値である変更後設定値に基づいた変更後映像を生成する変更後映像生成ステップと、
上記ユーザに変更される前の上記画質の設定値である変更前設定値に基づいた変更前映像を生成する変更前映像生成ステップと、
上記変更後映像、上記変更前映像、上記変更後設定値、上記変更前設定値、及び上記推奨設定値を共に上記表示手段に表示させ、上記ユーザに上記変更後設定値を変更させることにより上記表示中の映像の画質を調整させる制御ステップと
を具えることを特徴とする画質調整方法。
【請求項７】
電子機器に対して、
所定の表示手段により表示中の映像に対応付けられた画質の設定値である推奨設定値を取得する推奨設定値取得ステップと、
ユーザに変更された後の画質の設定値である変更後設定値に基づいた変更後映像を生成する変更後映像生成ステップと、
上記ユーザに変更される前の上記画質の設定値である変更前設定値に基づいた変更前映像を生成する変更前映像生成ステップと、
上記変更後映像、上記変更前映像、上記変更後設定値、上記変更前設定値、及び上記推奨設定値を共に上記表示手段に表示させ、上記ユーザに上記変更後設定値を変更させることにより上記表示中の映像の画質を調整させる制御ステップと
を実行させることを特徴とする画質調整プログラム。
【発明の詳細な説明】
【技術分野】
【０００１】
本発明は画質調整装置に関し、例えばユーザに画質を調整させ得るようになされたテレビジョン装置に適用して好適なものである。
【背景技術】
【０００２】
従来、テレビジョン装置においては、表示画面に表示する映像の画質（例えば明るさ、色合いやシャープネス等）をユーザの好みに応じて調整させ得るようになされたものがある。
【０００３】
また、テレビジョン装置のなかには、ユーザに画質を調整させる際に、表示画面を複数の画面領域に分割し、各画面領域に調整前後の映像等を同時に表示することにより、当該ユーザに当該調整前後の映像を見比べながら画質を調整させるようになされたものがある（例えば、特許文献１参照）。
【特許文献１】特開２００２−２１８３５０公報（第７頁、第２図）
【発明の開示】
【発明が解決しようとする課題】
【０００４】
ところで、上述した構成のテレビジョン装置においては、明るさ・色合い・シャープネス等のように、画質の調整項目が多岐にわたるものがあるが、一方ユーザは、このような複雑な調整項目のうち、どの調整項目をどの程度調整すれば画質にどのような変化をもたらすのかを正確に認識できていない場合がある。
【０００５】
このような場合、テレビジョン装置は、画質を調整する前後の映像を同時に表示したとしても、適切な調整項目や適切な設定値がわからないユーザに、好みの画質に調整するまでの試行錯誤に手間をかけさせてしまうという問題があった。
【０００６】
本発明は以上の点を考慮してなされたもので、ユーザの好む画質に容易に調整させ得る画質調整装置を提案しようとするものである。
【課題を解決するための手段】
【０００７】
かかる課題を解決するため本発明の画質調整装置においては、所定の表示手段により表示中の映像に対応付けられた画質の設定値である推奨設定値を取得する推奨設定値取得手段と、ユーザに変更された後の画質の設定値である変更後設定値に基づいた変更後映像を生成する変更後映像生成手段と、ユーザに変更される前の画質の設定値である変更前設定値に基づいた変更前映像を生成する変更前映像生成手段と、変更後映像、変更前映像、変更後設定値、変更前設定値、及び推奨設定値を共に表示手段に表示させ、ユーザに変更後設定値を変更させることにより表示中の映像の画質を調整させる制御手段とを設けるようにした。
【０００８】
これにより、ユーザに変更前後の映像同士を見比べさせ、さらに変更前設定値と、変更後設定値と、変更設定値とをそれぞれ数値によって認識させながら映像の画質を調整させることができる。
【０００９】
また本発明の画質調整方法においては、所定の表示手段により表示中の映像に対応付けられた画質の設定値である推奨設定値を取得する推奨設定値取得ステップと、ユーザに変更された後の画質の設定値である変更後設定値に基づいた変更後映像を生成する変更後映像生成ステップと、ユーザに変更される前の画質の設定値である変更前設定値に基づいた変更前映像を生成する変更前映像生成ステップと、変更後映像、変更前映像、変更後設定値、変更前設定値、及び推奨設定値を共に表示手段に表示させ、ユーザに変更後設定値を変更させることにより表示中の映像の画質を調整させる制御ステップとを設けるようにした。
【００１０】
これにより、ユーザに変更前後の映像同士を見比べさせ、さらに変更前設定値と、変更後設定値と、変更設定値とをそれぞれ数値によって認識させながら映像の画質を調整させることができる。
【００１１】
さらに本発明の画質調整プログラムにおいては、所定の表示手段により表示中の映像に対応付けられた画質の設定値である推奨設定値を取得する推奨設定値取得ステップと、ユーザに変更された後の画質の設定値である変更後設定値に基づいた変更後映像を生成する変更後映像生成ステップと、ユーザに変更される前の画質の設定値である変更前設定値に基づいた変更前映像を生成する変更前映像生成ステップと、変更後映像、変更前映像、変更後設定値、変更前設定値、及び推奨設定値を共に表示手段に表示させ、ユーザに変更後設定値を変更させることにより表示中の映像の画質を調整させる制御ステップとを設けるようにした。
【００１２】
これにより、ユーザに変更前後の映像同士を見比べさせ、さらに変更前設定値と、変更後設定値と、変更設定値とをそれぞれ数値によって認識させながら映像の画質を調整させることができる。
【発明の効果】
【００１３】
本発明によれば、ユーザに変更前後の映像同士を見比べさせ、さらに変更前設定値と、変更後設定値と、変更設定値とをそれぞれ数値によって認識させながら映像の画質を調整させることができ、かくしてユーザの好む画質に容易に調整させ得る画質調整装置を実現できる。
【発明を実施するための最良の形態】
【００１４】
以下、図面について、本発明の一実施の形態を詳述する。
【００１５】
（１）第１の実施の形態
（１−１）テレビジョン装置の回路構成
図１において、１は全体として第１の実施の形態におけるテレビジョン装置の回路構成を表し、ＣＰＵ（Central Processing Unit）構成でなるシステム制御部１０によって全体を統括制御し、図示しないＲＯＭ（Read Only Memory）から読み出したＯＳ（Operational System）等の基本プログラムや画質調整プログラム等の各種アプリケーションプログラムに従って各種処理を実行するようになされている。
【００１６】
テレビジョン装置１は、操作部１１によりユーザからの操作を受け付け、その操作に応じた操作信号をシステム制御部１０に送出する。
【００１７】
ちなみに操作部１１には、受信チャンネルを変更するためのチャンネルボタンや音量を変更するための音量ボタン等に加えて、ＧＵＩ（Graphical User Interface）形式のメニューウィンドウ（詳しくは後述する）を表示部１７に表示するための「メニュー」ボタン、当該メニューウィンドウを操作するための「上」「下」「左」「右」ボタンや、「決定」ボタン及び「キャンセル」ボタン等（以下、これらをまとめてＧＵＩ操作ボタンと呼ぶ）が設けられている。
【００１８】
テレビジョン装置１は、テレビジョン放送局（図示せず）から放送されるテレビジョン放送信号をアンテナ１２を介して受信し、これを受信信号Ｓ１としてチューナ１３へ供給する。
【００１９】
チューナ１３は、受信信号Ｓ１を基に、ユーザにより操作部１１を介して指定された受信チャンネルを選局し、当該受信チャンネルのテレビジョン番組が符号化されたデータでなる番組データＤＰを抽出して第１信号処理部１５Ａ及び第２信号処理部１５Ｂへ供給すると共に、テレビジョン放送信号に含まれるＥＰＧ（Electronic Program Guide：電子番組ガイド）データＤＥを抽出してＥＰＧ取得部１９へ供給する。
【００２０】
ちなみにこのＥＰＧデータＤＥには、テレビジョン番組の番組名や放送日時の他、「映画」や「スポーツ」等といったカテゴリ情報等の種々の情報が含まれており、また現在放送中のテレビジョン番組に関する情報以外にも、今後放送される予定のテレビジョン番組に関する情報等も含まれている。
【００２１】
第１信号処理部１５Ａ及び第２信号処理部１５Ｂは、番組データＤＰに対して所定の復号処理等を施すことにより、それぞれ第１映像を表す第１映像信号Ｖ１及び第２映像を表す第２映像信号Ｖ２を生成し、それぞれ画像処理部１６へ供給する。
【００２２】
画像処理部１６は、システム制御部１０及び画像処理制御部２１の制御に基づいた画像処理を第１映像信号Ｖ１及び第２映像信号Ｖ２に施すことにより出力映像信号Ｖｏｕｔを生成し、これを表示部１７へ供給して当該表示部１７に出力映像を表示させる。
【００２３】
ここで画像処理部１６は、画像処理制御部２１の制御に基づき、第１映像又は第２映像のいずれか一方のみを表示部１７全体に表示させる全画面モードや、第１映像を縮小して表示部１７の左半分に表示させると共に第２映像を縮小して表示部１７の右半分に表示させる２画面モード、あるいは第１映像を親画面として表示部１７全体に表示した上に縮小した第２映像を子画面として重ねて表示させる親子画面モードといった複数の画面モードを切り換えるようになされている。
【００２４】
第１ＯＳＤ（On Screen Display）表示部１８Ａは、ユーザの操作に応じてメニューウィンドウ（詳しくは後述する）等を表示するための第１ＯＳＤ映像信号を生成し、これを表示部１７へ供給することにより、当該表示部１７に表示中の第１映像に第１ＯＳＤ映像を重畳して表示させる。
【００２５】
ＥＰＧ取得部１９は、チューナ１３から供給されたＥＰＧデータＤＥのなかから、現在チューナ１３で受信しているテレビジョン番組のＥＰＧデータＤＥｎｏｗを抽出し、これをカテゴリ取得部２０へ供給する。
【００２６】
カテゴリ取得部２０は、ＥＰＧデータＤＥｎｏｗに含まれるカテゴリ情報を抽出し、これを番組カテゴリ情報ＩＣとして画像処理制御部２１へ供給する。
【００２７】
不揮発性メモリ２２は、図２（Ａ）に示すように、「映画」や「スポーツ」といった各カテゴリと画質の推奨値ＰＲとの対応を表したカテゴリ別推奨値テーブルＴＢＬ１を予め記憶している。
【００２８】
画像処理制御部２１は、システム制御部１０の制御に基づき、番組カテゴリ情報ＩＣが表すカテゴリに対応した推奨値ＰＲを不揮発性メモリ２２のカテゴリ別推奨値テーブルＴＢＬ１から読み出し、これを第２ＯＳＤ表示部１８Ｂへ供給する。
【００２９】
第２ＯＳＤ表示部１８Ｂは、画像処理制御部２１の制御に基づき、推奨値ウィンドウ（詳しくは後述する）等を表示するための第２ＯＳＤ映像信号を生成し、これを表示部１７へ供給することにより、当該表示部１７に表示中の第２映像に第２ＯＳＤ映像を重畳して表示させる。
【００３０】
また画像処理制御部２１は、現在の「明るさ」や「色合い」等の画質の設定値でなる画質設定値ＰＧを保持しており、当該画質設定値ＰＧに基づいて画像処理部１６を制御することにより第１映像の画質を調整するようになされている。さらに画像処理制御部２１は、画像処理部１６を制御することにより、第１映像及び第２映像の画質を個別に調整するようになされている。
【００３１】
このようにテレビジョン装置１は、全画面モードによって表示部１７に第１映像を表示する以外にも、２画面モード、又は親子画面モードによって第１映像及び第２映像を同時に表示部１７に表示することができ、さらに第１ＯＳＤ映像及び第２ＯＳＤ映像をそれぞれ重畳して表示することもでき、そのうえ第１映像と第２映像とに対して個別に画質を設定できるようになされている。
【００３２】
（１−２）画質調整処理
ところでテレビジョン装置１は、ＯＳＤ表示したメニューをユーザに操作させることにより、表示部１７に表示する映像の画質を当該ユーザの好みに応じて調整させるようになされているが、このとき２画面モードや親子画面モードに切り換えることによって、ユーザに複数の映像やその設定値等を直接比較させながら当該設定値を変更させ得るようになされている。
【００３３】
以下では、テレビジョン装置１がユーザの操作に基づいて画質調整処理を行う際の画質調整処理手順ＲＴ１について、図３に示すフローチャートに従って説明する。
【００３４】
テレビジョン装置１のシステム制御部１０は、ユーザによる操作部１１の「メニュー」ボタンの押下操作を受け付けると、図４の左側に示すようなメニュー項目を一覧化したメニューウィンドウ３０を表示部１７に表示させる。ここでシステム制御部１０は、ユーザによるＧＵＩ操作ボタンの操作を受け付け、このときメニューウィンドウ３０の「画質調整」項目３０Ａが選択されるとルーチンＲＴ１を開始し、ステップＳＰ１へ移る。
【００３５】
ステップＳＰ１においてシステム制御部１０は、第１ＯＳＤ表示部１８Ａを制御することにより、図４の右側に示すような設定方法を一覧化した画質調整メニュー３１を表示部１７に表示させ、次のステップＳＰ２へ移る。
【００３６】
ステップＳＰ２においてシステム制御部１０は、ユーザによるＧＵＩ操作ボタンの操作を受け付け、このとき画質調整メニュー３１の「見ながら設定」項目３１Ａが選択されたか否かを判定する。ここで否定結果が得られると、このことはユーザが「見ながら設定」以外の、例えば「数値で設定」等の他の設定方法によって画質を調整する意思を持つことを表しており、このときシステム制御部１０はステップＳＰ３へ移り、選択された方法に応じた所定の処理を行うことによって当該ユーザに画質を調整させ、その後ステップＳＰ８へ移ってルーチンＲＴ１を終了する。
【００３７】
一方、ステップＳＰ２において肯定結果が得られると、このことはユーザが本発明の特徴である「見ながら設定」によって画質調整を行う意思を持つことを表しており、このときシステム制御部１０は、当該ユーザにさらに画質調整の際の画面構成を指定させるべく、次のステップＳＰ４へ移る。
【００３８】
ステップＳＰ４においてシステム制御部１０は、第１ＯＳＤ表示部１８Ａを制御することにより、図５に示す画面構成選択メニュー３２を表示部１７に表示させる。ここで画面構成選択メニュー３２には、「親子画面」項目３２Ａ、「親子画面・詳細」項目３２Ｂ、「２画面」項目３２Ｃ、及び「２画面・詳細」項目３２Ｄの４項目が表示されている。システム制御部１０は、ユーザにＧＵＩ操作ボタンを操作させることにより項目３２Ａ〜３２Ｄのなかから１項目を選択させ、次のステップＳＰ５へ移る。
【００３９】
ステップＳＰ５においてシステム制御部１０は、ＥＰＧ取得部１９によって、表示部１７に表示中のテレビジョン番組のＥＰＧデータＤＥｎｏｗを取得させた後、カテゴリ取得部２０によって当該ＥＰＧデータＤＥｎｏｗから番組カテゴリ情報ＩＣを抽出し、さらに画像処理制御部２１によって、当該番組カテゴリ情報ＩＣに対応した推奨値ＰＲを不揮発性メモリ２２のカテゴリ別推奨値テーブルＴＢＬ１から読み出させ、当該推奨値ＰＲを第２ＯＳＤ表示部１８Ｂへ供給して、次のステップＳＰ６へ移る。
【００４０】
ステップＳＰ６においてシステム制御部１０は、ステップＳＰ４においてユーザに選択された項目に応じた構成の表示画面を表示部１７に表示させる。例えばユーザに「２画面・詳細」項目３２Ｄが選択された場合、制御部１０は、図６に示すような２画面モードの画質調整画面４０を表示部１７に表示させる。
【００４１】
このときシステム制御部１０は、画質調整画面４０を左画面領域４１と右画面領域４２とに大きく分割し、第１信号処理部１５Ａによって生成された第１映像信号Ｖ１に対して変更後の設定値を反映させた変更後映像４１Ａを左画面領域４１に表示させると共に、第２信号処理部１５Ｂによって生成された第２映像信号Ｖ２に対して変更前の設定値を反映させた、すなわち画質設定値ＰＧに基づいた変更前映像４２Ａを右画面領域４２に表示させるようになされている。
【００４２】
これによりシステム制御部１０は、互いに異なる画質の変更後映像４１Ａと変更前映像４２Ａとをユーザに直接見比べさせることができる。
【００４３】
これに加えてシステム制御部１０は、第１ＯＳＤ表示部１８Ａによって、左画面領域４１の変更後映像４１Ａに重畳して、当該変更後映像４１Ａが画質変更後の映像であることを示す映像タイトル４１Ｂと、画質調整用のＧＵＩである画質調整ウィンドウ４１Ｃとを表示させるようになされている。この画質調整ウィンドウ４１Ｃには、「明るさ」や「色合い」等の調整項目名４１Ｃ１、各調整項目の設定値４１Ｃ２、及び各調整項目の設定値を視覚的に表したバーインジケータ４１Ｃ３が表示され、さらに調整項目名４１Ｃ１のうち現在ユーザに選択されている調整項目がカーソル枠４１Ｃ４によって示される。システム制御部１０は、ユーザにＧＵＩ操作ボタンを操作させることにより、まずカーソル枠４１Ｃ４を移動させて調整項目を切り換え、次にその設定値を変更させるようになされている。
【００４４】
さらにシステム制御部１０は、第２ＯＳＤ表示部１８Ｂによって、右画面領域４２の変更前映像４２Ａに重畳して、当該変更前映像４２Ａが画質変更前の映像であることを示す映像タイトル４２Ｂと、画像処理制御部２１に保持している画質設定値ＰＧを数値として提示する変更前設定値ウィンドウ４２Ｄと、不揮発性メモリ２２のカテゴリ別推奨値テーブルＴＢＬ１から読み出した推奨値ＰＲを数値として提示する推奨値ウィンドウ４２Ｅとを表示させるようになされている。
【００４５】
すなわちシステム制御部１０は、変更後映像４１Ａ及び変更前映像４２Ａに加えて、画質調整ウィンドウ４１Ｃ、変更前設定値ウィンドウ４２Ｄ及び推奨値ウィンドウ４２Ｅを共に表示部１７に表示させることにより、変更後映像４１Ａ及び変更前映像４２Ａそれぞれの設定値を数値によりユーザに提示し、さらに現在表示中のテレビジョン番組のカテゴリに応じた推奨値ＰＲを当該ユーザに提示するようになされている。
【００４６】
次にシステム制御部１０はステップＳＰ７へ移り、ユーザに操作部１１のＧＵＩ操作ボタンを操作させることにより画質調整ウィンドウ４１Ｃの各調整項目の設定値を変更させて、変更後映像４１Ａの画質をユーザの好みに合わせて調整させる。そして制御部１０は、各調整項目の設定値の変更が終了したことを表す「決定」ボタンがユーザに押下されると、画像処理制御部２１によりユーザに変更された設定値に基づいて画質設定値ＰＧを更新させ、画像処理部１６により画質調整ウィンドウ４１Ｃ、変更前設定値ウィンドウ４２Ｄ及び推奨値ウィンドウ４２Ｅを消去し、２画面モードから全画面モードに戻して第１映像を表示させ、当該画質設定値ＰＧに基づいて第１映像の画質を調整した後、次のステップＳＰ８へ移ってルーチンＲＴ１を終了する。
【００４７】
ちなみにシステム制御部１０は、上述したステップＳＰ６において「親子画面・詳細」項目３２Ｂが選択された場合、ステップＳＰ６において、画質調整画面４０に代えて図７に示す画質調整画面５０を表示部１７に表示する。
【００４８】
このときシステム制御部１０は、画質調整画面５０を、当該画質調整画面５０の一部の領域でなる子画面領域５２と、画質調整画面５０から子画面領域５２を除いた親画面領域５１とに分けており、第１信号処理部１５Ａによって生成された第１映像信号Ｖ１に対して変更後の設定値を反映させた変更後映像５１Ａを親画面領域５１に表示させると共に、第２信号処理部１５Ｂによって生成された第２映像信号Ｖ２に対して変更前の設定値を反映させた、すなわち画質設定値ＰＧに基づいた変更前映像５２Ａを子画面領域５２に表示させるようになされている。
【００４９】
これによりシステム制御部１０は、画質調整画面４０を表示させた場合と同様に、ユーザに変更後映像５１Ａと変更前映像５２Ａとを直接見比べさせることができる。
【００５０】
これに加えてシステム制御部１０は、第１ＯＳＤ表示部１８Ａによって、親画面領域５１の変更後映像５１Ａに重畳して、映像タイトル４１Ｂと同様の映像タイトル５１Ｂと、画質調整ウィンドウ４１Ｃと同様の画質調整ウィンドウ５１Ｃとを表示させ、さらに第２ＯＳＤ表示部１８Ｂによって、子画面領域５２の変更前映像５２Ａに重畳して、映像タイトル４２Ｂと同様の映像タイトル５２Ｂと、変更前設定値ウィンドウ４２Ｄと同様の変更前設定値ウィンドウ５２Ｄと、推奨値ウィンドウ４２Ｅと同様の推奨値ウィンドウ５２Ｅとを表示させる。
【００５１】
すなわちシステム制御部１０は、画質調整画面４０と同様に、変更後映像５１Ａ及び変更前映像５２Ａに加えて、画質調整ウィンドウ５１Ｃ、変更前設定値ウィンドウ５２Ｄ及び推奨値ウィンドウ５２Ｅを表示部１７に表示させることにより、変更後映像５１Ａ及び変更前映像５２Ａと合わせてそれぞれの設定値を数値によりユーザに提示し、さらに現在表示中のテレビジョン番組のカテゴリに応じた推奨値ＰＲを当該ユーザに提示するようになされている。
【００５２】
ちなみにシステム制御部１０は、上述したステップＳＰ６において「２画面」項目３２Ｃが選択された場合、変更前設定値ウィンドウ４２Ｄ及び推奨値ウィンドウ４２Ｅを重畳せずに画質調整画面４０（図６）を表示部１７に表示させ、また「親子画面」項目３２Ａが選択された場合、変更前設定値ウィンドウ５２Ｄ及び推奨値ウィンドウ５２Ｅを重畳せずに画質調整画面５０（図７）を表示させて、それぞれユーザに画質を調整させるようになされている。
【００５３】
（１−３）動作及び効果
以上の構成において、テレビジョン装置１は、操作部１１を介したユーザの操作によってメニューウィンドウ３０の「画質調整」項目３０Ａ（図４）及び画質調整メニュー３１の「見ながら設定」項目３１Ａ（図４）が選択されると、表示部１７に画面構成選択メニューウィンドウ３２（図５）表示して画質調整時の表示画面の構成を当該ユーザに選択させる。
【００５４】
そしてテレビジョン装置１は、画面構成選択メニュー３２の「２画面・詳細」項目３２Ｄが選択されると、現在表示中のテレビジョン番組のカテゴリに応じた推奨値ＰＲを不揮発性メモリ２２のカテゴリ別推奨値テーブルＴＢＬ１から読み出して、変更後映像４１Ａ、変更前映像４２Ａ、画質調整ウィンドウ４１Ｃ、変更前設定値ウィンドウ４２Ｄ及び推奨値ウィンドウ４２Ｅでなる２画面モードの画質調整画面４０を表示部１７に表示させ、ユーザに数値を設定させることによって画質を調整させる。
【００５５】
従ってテレビジョン装置１は、ユーザが画質を調整する際に、変更後映像４１Ａと変更前映像４２Ａとを同時に表示部１７に表示することにより、当該ユーザに画質を変更する前後の映像を直接比較させることができる。
【００５６】
さらにテレビジョン装置１は、変更後映像４１Ａ及び変更前映像４２Ａと共に画質調整ウィンドウ４１Ｃ及び変更前設定値ウィンドウ４２Ｄを表示部１７に表示することにより、各映像の設定値をそれぞれ数値としてユーザに提示することができるので、映像を直接比較しただけではその違いが分かりにくいような場合であっても、数値上の違いを参考にさせて、当該ユーザの好みに合わせて画質を調整させることができる。
【００５７】
そのうえテレビジョン装置１は、推奨値ウィンドウ４２Ｅを表示部１７に表示することにより、現在表示中のテレビジョン番組のカテゴリに応じた推奨値をユーザに提示することができるので、各調整項目の設定値を変更する際の参考にさせることができ、例えばどの調整項目をどのように変更すればよいか分からないユーザに対して、具体的な数値を目安とさせることができる。
【００５８】
このときテレビジョン装置１は、現在表示中のテレビジョン番組のカテゴリに応じた推奨値ＰＲを提示することができるので、当該テレビジョン番組を視聴しているユーザの好みに合致する可能性の高い設定値を勧めることができる。
【００５９】
以上の構成によれば、テレビジョン装置１は、ユーザに画質を調整させる際に、画面構成選択メニュー３２の「２画面・詳細」項目３２Ｄが選択されると、現在表示中のテレビジョン番組のカテゴリに対応した推奨値ＰＲを読み出し、変更後映像４１Ａ、変更前映像４２Ａ、画質調整ウィンドウ４１Ｃ、変更前設定値ウィンドウ４２Ｄ及び推奨値ウィンドウ４２Ｅでなる画質調整画面４０を表示部１７に表示させることにより、当該ユーザに、画質を変更する前後の映像を比較させると共に、それぞれの各調整項目の設定値と推奨値ＰＲとを同時に参照させながら画質を調整させることができ、かくしてユーザの好む画質に容易に調整させることができる。
【００６０】
（２）第２の実施の形態
（２−１）テレビジョン装置の回路構成
図１との対応部分に同一符号を付した図７において、６０は全体として第２の実施の形態におけるテレビジョン装置の回路構成を示し、システム制御部１０（図１）と対応するシステム制御部６１が全体を統括制御するようになされている。
【００６１】
テレビジョン装置６０は、テレビジョン装置１と同様の第１信号処理部１５Ａ及び第２信号処理部１５Ｂに加えて、当該第２信号処理部１５Ｂと同様の第３信号処理部１５Ｃ及び第４信号処理部１５Ｄを有しており、当該第３信号処理部１５Ｃ及び第４信号処理部１５Ｄにより、チューナ１３から供給された番組データＤＰを基に、第３映像を表す第３映像信号Ｖ３及び第４映像を表す第４映像信号Ｖ４をそれぞれ生成して、共に画像処理部６２へ送出する。
【００６２】
画像処理部６２は、テレビジョン装置１における画像処理部１６（図１）に対応しており、システム制御部６１及び画像処理制御部６３の制御に基づいた画像処理を行うことにより、出力映像信号Ｖｏｕｔを生成して表示部１７へ供給する。さらに画像制御部６２は、画像処理部１６と同様の全画面モード、２画面モード、及び親子画面モードに加えて、第１乃至第４映像をそれぞれ縮小してタイル状に配置する４画面モードに切り換え得るようになされている。
【００６３】
また不揮発性メモリ２２は、上述した第１の実施の形態において図２（Ａ）に示したカテゴリ別推奨値テーブルＴＢＬ１に代えて、図２（Ｂ）に示すカテゴリ別推奨値テーブルＴＢＬ２を記憶しており、「スポーツ（明るい部屋用）」や「スポーツ（暗い部屋用）」等のように、カテゴリ別推奨値テーブルＴＢＬ１と同様の各カテゴリに対して、「明るい部屋用」及び「暗い部屋用」の２種類の条件に応じた２種類の推奨値ＰＲを記憶している。
【００６４】
画像処理制御部６３は、テレビジョン装置１の画像処理制御部２１（図１）と同様に、画質設定値ＰＧを保持すると共に、不揮発性メモリ２２から推奨値ＰＲを読み出し、これを第２ＯＳＤ表示部１８Ｂ、第３ＯＳＤ表示部１８Ｃ又は第４ＯＳＤ表示部１８Ｄへ供給するようになされている。また画像処理制御部６３は、画像処理部６２を制御することにより、第２乃至第４映像の画質をそれぞれ個別に設定し得るようになされている。
【００６５】
第３ＯＳＤ表示部１８Ｃ及び第４ＯＳＤ表示部１８Ｄは、テレビジョン装置１の第２ＯＳＤ表示部１８Ｂ（図１）と同様に、画像処理制御部６３の制御に基づいて第３ＯＳＤ映像信号及び第４ＯＳＤ映像信号を生成し、これらを表示部１７へ供給することにより、当該表示部１７に表示中の第３映像及び第４映像にそれぞれ第３ＯＳＤ映像及び第４ＯＳＤ映像を重畳して表示させる。
【００６６】
このようにテレビジョン装置６０は、第１の実施の形態におけるテレビジョン装置１と同様の全画面モード、２画面モード及び親子画面モードに加えて、第１映像乃至第４映像を表示部１７に同時に表示する４画面モードを有しており、このとき第１映像乃至第４映像に対してそれぞれ第１ＯＳＤ映像乃至第４ＯＳＤ映像を重畳して表示し得、そのうえ第１映像乃至第４映像をそれぞれ個別に画質を設定し得るようになされている。
【００６７】
（２−２）画質調整処理
ところでテレビジョン装置６０は、第１の実施の形態におけるテレビジョン装置１と同様に、表示部１７に表示する映像の画質をユーザの好みに応じて調整させる画質調整処理を行うようになされているが、当該テレビジョン装置１における２画面モードや親子画面モードに加えて、４画面モードを用いて画質調整を行い得るようになされている。
【００６８】
以下、この第２の実施の形態における画質調整処理手順ＲＴ２について、図９に示すフローチャートに従って説明する。
【００６９】
テレビジョン装置６０のシステム制御部６１は、操作部１１を介した所定のメニュー表示操作を受け付けると、図４の左側に示したメニューウィンドウ３０を表示部１７に表示させる。ここでシステム制御部１０は、ユーザによるＧＵＩ操作ボタンの操作を受け付け、このときメニューウィンドウ３０の「画質調整」項目３０Ａが選択されるとルーチンＲＴ２を開始し、ステップＳＰ２１へ移る。
【００７０】
システム制御部６１は、ステップＳＰ２１乃至ＳＰ２３において、上述したルーチンＲＴ１のステップＳＰ１乃至ＳＰ３と同様の処理を行い、ステップＳＰ２２において肯定結果が得られると、ステップＳＰ２４へ移る。
【００７１】
ステップＳＰ２４においてシステム制御部６１は、第１ＯＳＤ表示部１８Ａを制御することにより、図１０に示す画面構成選択メニュー３３を表示部１７に表示させる。ここで画面構成選択メニュー３３には、画面構成選択メニュー３２（図５）の各項目と対応した「親子画面」項目３３Ａ、「親子画面・詳細」項目３３Ｂ、「２画面」項目３３Ｃ、及び「２画面・詳細」項目３３Ｄに加えて、「４画面・詳細」項目３３Ｅが表示されている。システム制御部６１は、ユーザにＧＵＩ操作ボタンを操作させることによって項目３３Ａ乃至３３Ｅのなかから１項目を選択させ、次のステップＳＰ２５へ移る。
【００７２】
なお、システム制御部６１は、画面構成選択メニュー３３の「親子画面」項目３３Ａ、「親子画面・詳細」項目３３Ｂ、「２画面」項目３３Ｃ、及び「２画面・詳細」項目３３Ｄのいずれかの項目がユーザに選択された場合、上述したルーチンＲＴ１（図３）において画面構成選択メニュー３２（図５）の「親子画面」項目３２Ａ、「親子画面・詳細」項目３２Ｂ、「２画面」項目３２Ｃ、及び「２画面・詳細」項目３２Ｄが選択された場合とそれぞれ同様の処理を行うため、ここではその説明を省略し、以下では「４画面・詳細」項目３３Ｅがユーザに選択された場合について説明する。
【００７３】
ステップＳＰ２５においてシステム制御部６１は、まずＥＰＧ取得部１９によって、変更前映像７２Ａとして表示部１７に表示中のテレビジョン番組のＥＰＧデータＤＥｎｏｗを取得させ、次にカテゴリ取得部２０によって番組カテゴリ情報ＩＣを抽出させる。さらにシステム制御部６１は、画像処理制御部６３によって、当該番組カテゴリ情報ＩＣに対応したカテゴリの異なる条件に応じた第１推奨値ＰＲ１及び第２推奨値ＰＲ２を、不揮発性メモリ２２のカテゴリ別推奨値テーブルＴＢＬ２（図２（Ｂ））から読み出させた後、当該第１推奨値ＰＲ１を画像処理部６２及び第３ＯＳＤ表示部１８Ｃへ送出すると共に、当該第２推奨値ＰＲ２を画像処理部６２及び第４ＯＳＤ表示部１８Ｄへ送出して、次のステップＳＰ２６へ移る。
【００７４】
例えばシステム制御部６１は、番組カテゴリ情報ＩＣが「スポーツ」を表している場合、「スポーツ（明るい部屋用）」の推奨値ＰＲを第１推奨値ＰＲ１とし、「スポーツ（暗い部屋用）」の推奨値ＰＲを第２推奨値ＰＲ２として、それぞれ画像処理制御部６３に読み出させる。
【００７５】
ステップＳＰ２６においてシステム制御部６１は、ステップＳＰ２４においてユーザに選択された項目に応じた構成の表示画面を表示部１７に表示する。例えばユーザに「４画面・詳細」項目３３Ｅが選択された場合、システム制御部６１は、図１１に示すような４画面モードの画質調整画面７０を表示部１７に表示させる。
【００７６】
ここでシステム制御部６１は、画質調整画面７０を左上画面領域７１、右上画面領域７２、左下画面領域７３、右下画面領域７４の４つの領域に大きく分けており、第１信号処理部１５Ａによって生成された第１映像信号Ｖ１に対して変更後の設定値を反映させた変更後映像７１Ａを左上画面領域７１に表示させ、第２信号処理部１５Ｂによって生成された第２映像信号Ｖ２に対して変更前の設定値を反映させた、すなわち画質設定値ＰＧに基づいた変更前映像７２Ａを右上画面領域７２に表示させる。
【００７７】
さらにシステム制御部６１は、第３信号処理部１５Ｃによって生成された第３映像信号Ｖ３に対して第１推奨値ＰＲ１を反映させた第１推奨映像７３Ａを左下画面領域７３に表示させ、第４信号処理部１５Ｄによって生成された第４映像信号Ｖ４に対して第２推奨値ＰＲ２を反映させた第２推奨映像７４Ａを右下画面領域７４に表示させる。
【００７８】
これによりシステム制御部６１は、変更後映像７１Ａ、変更前映像７２Ａ、第１推奨映像７３Ａ、及び第２推奨映像７４Ａといった、それぞれ異なる画質の４種類の映像をユーザに直接見比べさせることができる。
【００７９】
またシステム制御部６１は、第１ＯＳＤ表示部１８Ａによって、左上画面領域７１の変更後映像７１Ａに重畳して、映像タイトル４１Ｂ（図６）と同様の映像タイトル７１Ｂと、画質調整ウィンドウ４１Ｃと同様の画質調整ウィンドウ７１Ｃとを表示させると共に、第２ＯＳＤ表示部１８Ｂによって、右上画面領域７２の変更前映像７２Ａに重畳して、映像タイトル４２Ｂ（図６）と同様の映像タイトル７２Ｂと、変更前設定値ウィンドウ４２Ｄと同様の変更前設定値ウィンドウ７２Ｄを表示させる。
【００８０】
さらにシステム制御部６１は、第３ＯＳＤ表示部１８Ｃによって、左下画面領域７３の第１推奨映像７３Ａに重畳して、当該第１推奨映像７３Ａの映像タイトル７３Ｂと第１推奨値ＰＲ１を提示する推奨値ウィンドウ７３Ｅとを表示させると共に、第４ＯＳＤ表示部１８Ｄによって、右下画面領域７４の第２推奨映像７４Ａに重畳して、当該第２推奨映像７４Ａの映像タイトル７４Ｂと第２推奨値ＰＲ２を提示する推奨値ウィンドウ７４Ｅとを表示させる。
【００８１】
すなわちシステム制御部６１は、変更後映像７１Ａ、変更前映像７２Ａ、第１推奨映像７３Ａ、及び第２推奨映像７４Ａに加えて、画質調整ウィンドウ７１Ｃ、変更前設定値ウィンドウ７２Ｄ、推奨値ウィンドウ７３Ｅ及び７４Ｅを表示部１７に表示させることにより、変更後映像７１Ａ、変更前映像７２Ａ、第１推奨映像７３Ａ及び第２推奨映像７４Ａそれぞれの設定値を数値としてユーザに提示するようになされている。
【００８２】
さらにシステム制御部６１は、表示領域選択枠７５を表示部１７に表示させ、ユーザに操作部１１のＧＵＩ操作ボタンを操作させることにより、当該表示領域選択枠７５を移動させて左上表示領域７１、右上表示領域７２、左下表示領域７３、及び右下表示領域７４のいずれかを選択させるようになされている。
【００８３】
次にシステム制御部６１はステップＳＰ２７へ移って、ユーザに操作部１１のＧＵＩ操作ボタンを操作させることにより、表示領域選択枠７５を移動させて左上表示領域７１、右上表示領域７２、左下表示領域７３、及び右下表示領域７４のいずれかの表示領域を選択させ、次のステップＳＰ２８へ移る。
【００８４】
ステップＳＰ２８においてシステム制御部６１は、変更後映像７１Ａを表示している左上表示領域７１が選択されたか否かを判定する。ここで否定結果が得られると、このことはユーザが数値を直接変更するのではなく表示領域選択枠７５によって選択した表示領域の画質に設定したいという意思を持っていることを表しており、このときシステム制御部６１は、選択された表示領域の画質に設定するべく、次のステップＳＰ２９へ移る。
【００８５】
ステップＳＰ２９においてシステム制御部６１は、表示領域選択枠７５によって選択された表示領域に表示している映像（すなわち変更前映像７２Ａ、第１推奨映像７３Ａ、又は第２推奨映像７４Ａ）の各調整項目の設定値に基づき画像処理制御部６３によって画質設定値ＰＧを更新し、画像処理部６２によって、画質調整ウィンドウ７１Ｃ、変更前設定値ウィンドウ７２Ｄ、推奨値ウィンドウ７３Ｅ及び７４Ｅを消去すると共に４画面モードから全画面モードに切り換えて第１映像を表示させ、当該第１映像を当該画質設定値ＰＧに基づいた画質に調整した後、次のステップＳＰ３１へ移ってこのルーチンＲＴ２を終了する。
【００８６】
例えばシステム制御部６１は、ユーザによって左下表示領域７３、すなわち第１推奨映像７３Ａが選択された場合、推奨値表示ウィンドウ７３Ｅにより提示している第１推奨値ＰＲ１に基づいて画質設定値ＰＧを更新し、全画面モードで表示した第１映像を当該第１推奨映像７３Ａと同一の画質に調整する。
【００８７】
一方ステップＳＰ２８において肯定結果が得られると、このことはユーザが各調整項目の設定値を細かく変更することにより画質を調整する意思を持っていることを表しており、このときシステム制御部６１は、各調整項目の設定値をユーザに変更させるべく、次のステップＳＰ３０へ移る。
【００８８】
ステップＳＰ３０においてシステム制御部６１は、ユーザに操作部１１のＧＵＩ操作ボタンを操作させることにより画質調整ウィンドウ７１Ｃの各調整項目の設定値を変更させて、変更後映像７１Ａの画質をユーザの好みに合わせて調整させる。そしてシステム制御部６１は、各調整項目の設定値の変更が終了したことを表す「決定」ボタンがユーザに押下されると、画像処理制御部６３によりユーザに変更された設定値に基づいて画質設定値ＰＧを更新し、画像処理部６２により、画質調整ウィンドウ７１Ｃ、変更前設定値ウィンドウ７２Ｄ、推奨値ウィンドウ７３Ｅ及び７４Ｅを消去すると共に４画面モードから全画面モードに戻して第１映像を表示して、当該第１映像を当該画質設定値ＰＧに基づいた画質に調整した後、次のステップＳＰ３１へ移ってこのルーチンＲＴ２を終了する。
【００８９】
（２−３）動作及び効果
以上の構成において、テレビジョン装置６０は、第１の実施の形態におけるテレビジョン装置１と同様に、操作部１１を介したユーザの操作によってメニューウィンドウ３０の「画質調整」項目３０Ａ（図４）及び画質調整メニュー３１の「見ながら設定」項目３１Ａ（図４）が選択されると、表示部１７に画面構成選択メニューウィンドウ３３（図１０）を表示して画質調整時の表示画面の構成を当該ユーザに選択させる。
【００９０】
そしてテレビジョン装置６０は、画面構成選択メニュー３３の「４画面・詳細」項目３３Ｅが選択されると、現在表示中のテレビジョン番組のカテゴリに応じた、互いに異なる条件の第１推奨値ＰＲ１及び第２推奨値ＰＲ２を不揮発性メモリ２２のカテゴリ別推奨値テーブルＴＢＬ２から読み出して、変更後映像７１Ａ、変更前映像７２Ａ、第１推奨値ＰＲ１に基づいた第１推奨映像７３Ａ、及び第２推奨値ＰＲ２に基づいた第２推奨映像７４Ａの４種類の映像と、画質調整ウィンドウ７１Ｃ、変更前設定値ウィンドウ７２Ｄ、推奨値ウィンドウ７３Ｅ及び７４Ｅの各種ウィンドウと、表示領域選択枠７５とでなる４画面モードの画質調整画面７０（図１１）を表示部１７に表示させる。
【００９１】
さらにテレビジョン装置６０は、ユーザの操作により表示領域選択枠７５を移動させて左上表示領域７１、右上表示領域７２、左下表示領域７３、及び右下表示領域７４のいずれかの表示領域を選択させ、左上表示領域７１以外が選択された場合、選択された表示領域の各調整項目の設定値に基づく画質に調整し、左上表示領域７１が選択された場合、第１の実施の形態と同様に、ユーザに各調整項目の設定値を変更させることによって画質を調整させる。
【００９２】
従ってテレビジョン装置６０は、ユーザが画質を調整する際に、変更後映像７１Ａ、変更前映像７２Ａ、第１推奨映像７３Ａ、及び第２推奨映像７４Ａを同時に表示部１７に表示することにより、当該ユーザに画質を変更する前後の映像及び推奨する２種類の映像を直接比較させることができる。
【００９３】
またテレビジョン装置６０は、表示領域選択枠７５によってユーザに表示領域を選択させ、左上表示領域７１以外が選択された場合、選択された表示領域に表示している映像（すなわち変更前映像７２Ａ、第１推奨映像７３Ａ、又は第２推奨映像７４Ａ）と同一の画質に設定することにより、ユーザに各調整項目の設定値をわざわざ変更する手間をかけさせることなく、容易に画質の調整を完了させることができる。
【００９４】
このときテレビジョン装置６０は、映像を表示中のテレビジョン番組のカテゴリにおける２種類の条件（例えば「明るい部屋用」及び「暗い部屋用」）に応じた第１推奨値ＰＲ１及び第２推奨値ＰＲ２に基づいた第１推奨映像７３Ａ及び第２推奨映像７４Ａを共に提示することにより、当該テレビジョン番組を視聴しているユーザの好みや条件に合致する可能性の高い映像を勧めることができる。
【００９５】
一方テレビジョン装置６０は、ユーザに左上表示領域７１が選択された場合、第１の実施の形態におけるテレビジョン装置１と同様に、当該ユーザに各調整項目の数値を変更させることにより、当該ユーザの好みに合わせてきめ細かく画質を調整させることができる。
【００９６】
このときテレビジョン装置６０は、変更後映像７１Ａ、変更前映像７２Ａ、第１推奨映像７３Ａ、及び第２推奨映像７４Ａと共に、画質調整ウィンドウ７１Ｃ、変更前設定値ウィンドウ７２Ｄ、推奨値ウィンドウ７３Ｅ及び７４Ｅを表示部１７に表示させることにより、第１の実施の形態におけるテレビジョン装置１と同様に、各映像の各調整項目の設定値をそれぞれ数値としてユーザに提示することができる。
【００９７】
これによりテレビジョン装置６０は、第１の実施の形態と同様に、現在表示中のテレビジョン番組のカテゴリに応じた推奨値をユーザに提示することができるので、各調整項目の設定値を変更する際の参考にさせることができ、例えばどの調整項目をどのように変更すればよいか分からないユーザに対して、当該テレビジョン番組を視聴しているユーザの好みや条件に合致する可能性の高い具体的な数値を目安とさせることができる。
【００９８】
特にテレビジョン装置６０は、４画面モードで映像を表示することにより、変更後映像７１Ａ以外の３種類の映像と共に各映像の各調整項目の設定値をユーザに提示することができるので、第１の実施の形態におけるテレビジョン装置１と比較して、より多くの映像及び各調整項目の設定値を参考にさせることができる。
【００９９】
以上の構成によれば、テレビジョン装置６０は、ユーザに画質を調整させる際に、画面構成選択メニュー３３の「４画面・詳細」項目３３Ｅが選択されると、現在表示中のテレビジョン番組のカテゴリに対応した第１推奨値ＰＲ１及び第２推奨値ＰＲ２を読み出し、変更後映像７１Ａ、変更前映像７２Ａ、第１推奨映像７３Ａ、及び第２推奨映像７４Ａの４種類の映像に加えて、画質調整ウィンドウ７１Ｃ、変更前設定値ウィンドウ７２Ｄ、推奨値ウィンドウ７３Ｅ及び７４Ｅを表示部１７に表示させて表示領域選択枠７５によって映像を選択させることにより、画質を変更する前後の映像及び推奨映像と、各映像の各調整項目の設定値とを同時に参照させながら、当該ユーザに選択させた表示領域の映像の設定値をそのまま反映するか、あるいは各調整項目の設定値を細かく変更させることができ、かくしてユーザの好む画質に容易に調整させることができる。
【０１００】
（３）他の実施の形態
なお上述した第１の実施の形態においては、テレビジョン装置１（図１）がチューナ１３を１つ有するようにした場合について述べたが、本発明はこれに限らず、例えば図１との対応部分に同一符号を付した図１２に示すように、テレビジョン装置８０がチューナ１３と同様の複数のチューナ１３Ａ及び１３Ｂを有するようにし、当該チューナ１３Ａ及び１３Ｂによってそれぞれ生成した番組データＤＰを第１信号処理部１５Ａ及び第２信号処理部１５Ｂへ供給するようにしても良い。
【０１０１】
この場合テレビジョン装置８０は、システム制御部１０（図１）に対応したシステム制御部８１の制御に基づき、チューナ１３Ａ及び１３Ｂに同一のチャンネルを受信させ、テレビジョン装置１と同様に２画面モード（図６）や親子画面モード（図７）を用いて画質調整を行い得ることに加え、画質調整時以外には、チューナ１３Ａ及び１３Ｂに互いに異なる放送チャンネルを受信させて２画面モードや親子画面モードに切り換えることによって、異なる２つの放送チャンネルの映像を同時に表示させることもできる。
【０１０２】
また上述した第１の実施の形態においては、テレビジョン装置１（図１）が画像処理部１６を１つ有するようにした場合について述べたが、本発明はこれに限らず、例えば図１との対応部分に同一符号を付した図１３に示すように、テレビジョン装置９０が第１信号処理部１５Ａ及び第２信号処理部１５Ｂにそれぞれ対応した画像処理部１６Ａ及び１６Ｂを設け、さらに複数の画像を合成する画像合成部９２を設けるようにしても良い。
【０１０３】
この場合テレビジョン装置９０は、システム制御部１０（図１）に対応したシステム制御部９１の制御に基づき、第１信号処理部１５Ａ及び第２信号処理部１５Ｂから供給された映像信号Ｖ１及びＶ２に対して、画像処理部１６Ａ及び１６Ｂによってそれぞれ画質調整等の処理を施して映像信号Ｖ１Ｃ及びＶ２Ｃをそれぞれ生成し、画像合成部９２により当該映像信号Ｖ１Ｃ及びＶ２Ｃを合成することによって出力信号Ｖｏｕｔを生成することができる。
【０１０４】
さらに上述した第２の実施の形態においては、表示部１７の表示領域を４分割した４画面モードを用いて画質調整を行うようにした場合について述べたが、本発明はこれに限らず、６画面モードや９画面モード等の、任意の分割数で表示領域を分割した状態で画質調整を行うようにしても良い。この場合、各表示領域をほぼ同じ大きさに分割する以外にも、複数種類の大きさの表示領域を適宜組み合わせて表示する等しても良い。
【０１０５】
さらに上述した第１の実施の形態においては、画質調整画面４０を表示部１７に表示する際に、変更後映像４１Ａ及び変更前映像４２Ａ等の各種映像の上に画質調整ウィンドウ４１Ｃ、変更前設定値ウィンドウ４２Ｄ、及び推奨値ウィンドウ４２Ｅ等の各種ウィンドウを重畳するようにした場合について述べたが、本発明はこれに限らず、各種映像と各種ウィンドウとを互いに別の領域に表示するようにして、各種映像をできるだけ隠さずにユーザに提示するようにしても良い。
【０１０６】
さらに上述した第１及び第２の実施の形態においては、放送波から抽出したＥＰＧデータＤＥを基に、表示部１７に表示中のテレビジョン番組のＥＰＧ情報ＩＥを取得するようにした場合について述べたが、本発明はこれに限らず、例えばインターネット上でＥＰＧ情報を配信可能なサーバから当該ＥＰＧ情報ＩＥを受信する等、他の手法によって当該ＥＰＧ情報ＩＥを取得するようにしても良い。
【０１０７】
さらに上述した第１及び第２の実施の形態においては、予め不揮発性メモリ２２にカテゴリ別推奨値テーブルＴＢＬ１及びカテゴリ別推奨値テーブルＴＢＬ２を記憶しておき、当該不揮発性メモリ２２にカテゴリ別推奨値テーブルＴＢＬ１及びカテゴリ別推奨値テーブルＴＢＬ２からカテゴリに応じた推奨値ＰＲを読み出すようにした場合について述べたが、本発明はこれに限らず、例えばインターネット上の所定のサーバから当該カテゴリに応じた推奨値ＰＲを取得する等、他の種々の手法によって推奨値ＰＲを取得するようにしても良い。
【０１０８】
さらに上述した第２の実施の形態においては、不揮発性メモリ２２のカテゴリ別推奨値テーブルＴＢＬ２によって、各カテゴリに対する「明るい部屋用」及び「暗い部屋用」の２種類の条件に応じた推奨値ＰＲを予め記憶しておくようにした場合について述べたが、本発明はこれに限らず、各カテゴリに対する他の種々の条件に応じた推奨値ＰＲを予め記憶しておくようにしても良い。
【０１０９】
さらに上述した第１及び第２の実施の形態においては、本発明をテレビジョン装置１及び６０に適用するようにした場合について述べたが、本発明はこれに限らず、パーソナルコンピュータ、ディジタルスチルカメラ、携帯電話機、及びＰＤＡ（Personal Digital Assistant）等の、映像を表示する表示手段を有し画質調整が可能な種々の電子機器に適用するようにしても良く、あるいはＤＶＤ（Digital Versatile Disc）プレーヤや家庭用ゲーム装置等の、画質を調整した映像信号を生成して外部のテレビジョンモニタ等に当該映像を表示させる種々の電子機器に適用するようにしても良い。
【０１１０】
この場合、テレビジョン番組以外の映像の画質を調整する際には、例えばインターネット上の所定のカテゴリデータベースを参照する等して、再生するＤＶＤのカテゴリ（「映画」や「スポーツ」等）や、プレイするゲームのカテゴリ（「シューティング」や「ＲＰＧ（Role Playing Game）」等）を取得し、当該カテゴリに応じて画質の推奨値をユーザに提示する等しても良い。
【０１１１】
さらに上述した第１及び第２の実施の形態においては、ハードウェア構成によるテレビジョン装置１及び６０に本発明を適用するようにした場合について述べたが、本発明はこれに限らず、上述した画質調整処理を行う画質調整プログラムをテレビジョン装置等の電子機器にインストールし、当該電子機器によって画質調整処理を行うようにしても良い。
【０１１２】
この場合、画質調整プログラムを電子機器にインストールして実行可能な状態にするためのプログラム格納媒体としては、例えばフレキシブルディスク、ＣＤ−ＲＯＭ（Compact Disc-Read Only Memory）、ＤＶＤ等のパッケージメディアのみならず、これらのプログラムが一時的もしくは永続的に格納される半導体メモリや磁気ディスクなどで実現しても良い。
【０１１３】
また、プログラム格納媒体にこれらのプログラムを格納する手段として、ローカルエリアネットワークやインターネット、ディジタル衛星放送等の有線及び無線通信媒体を利用しても良く、ルータやモデムなどの各種通信インターフェースを介して格納するようにしても良い。
【０１１４】
さらに上述した第１の実施の形態においては、推奨設定値取得手段としての画像処理制御部２１と、変更後映像生成手段及び変更前映像生成手段としての画像処理部１６と、制御手段としてのシステム制御部１０とによって、画質調整装置としてのテレビジョン装置１を構成する場合について述べたが、本発明はこれに限らず、その他種々の回路構成でなる推奨設定値取得手段と、変更後映像生成手段と、変更前映像生成手段と、制御手段とによって画質調整装置を構成するようにしても良い。
【産業上の利用可能性】
【０１１５】
本発明は、表示手段を有するテレビジョン装置等の他、表示手段を有さないＤＶＤプレーヤ等の電子機器でも利用できる。
【図面の簡単な説明】
【０１１６】
【図１】第１の実施の形態におけるテレビジョン装置の回路構成を示すブロック図である。
【図２】カテゴリ別推奨値テーブルを示す略線図である。
【図３】第１の実施の形態における画質調整処理手順を示すフローチャートである。
【図４】メニューウィンドウ及び画質調整メニューウィンドウを示す略線図である。
【図５】第１の実施の形態における画面構成選択メニューウィンドウを示す略線図である。
【図６】２画面モードの画質調整画面の説明に供する略線図である。
【図７】親子画面モードの画質調整画面の説明に供する略線図である。
【図８】第２の実施の形態におけるテレビジョン装置の回路構成を示すブロック図である。
【図９】第２の実施の形態における画質調整処理手順を示すフローチャートである。
【図１０】第２の実施の形態における画面構成選択メニューウィンドウを示す略線図である。
【図１１】４画面モードの画質調整画面の説明に供する略線図である。
【図１２】他の実施の形態におけるテレビジョン装置の回路構成（１）を示すブロック図である。
【図１３】他の実施の形態におけるテレビジョン装置の回路構成（２）を示すブロック図である。
【符号の説明】
【０１１７】
１、６０、８０、９０……テレビジョン装置、１０、６１、８１、９１……システム制御部、１１……操作部、１３……チューナ、１５Ａ……第１信号処理部、１５Ｂ……第２信号処理部、１５Ｃ……第３信号処理部、１５Ｄ……第４信号処理部、１６、１６Ａ、１６Ｂ、６２……画像処理部、１７……表示部、１８Ａ……第１ＯＳＤ表示部、１８Ｂ……第２ＯＳＤ表示部、１８Ｃ……第３ＯＳＤ表示部、１８Ｄ……第４ＯＳＤ表示部、２０……カテゴリ取得部、２１、６３……画像処理制御部、２２……不揮発性メモリ、４０、５０、７０……画質調整画面。
【図１】
2006013618.tif 000003
【図２】
2006013618.tif 000004
【図３】
2006013618.tif 000005
【図４】
2006013618.tif 000006
【図５】
2006013618.tif 000007
【図６】
2006013618.tif 000008
【図７】
2006013618.tif 000009
【図８】
2006013618.tif 000010
【図９】
2006013618.tif 000011
【図１０】
2006013618.tif 000012
【図１１】
2006013618.tif 000013
【図１２】
2006013618.tif 000014
【図１３】
2006013618.tif 000015